(57)【要約】【課題】フレームレートを変更せずに、動画ボケおよび焼きつきの発生を低減することができる液晶表示装置を提供する。【解決手段】本発明に係る液晶表示装置は、液晶表示パネルと、液晶表示パネルを駆動する駆動装置とを備える。駆動装置は、一のフレームにおいて、液晶表示パネルの一画面を水平に奇数個に分割してなる複数の分割領域８ａ〜８ｃのうち、一部の分割領域８ａに黒画像またはグレー画像を表示し、残りの分割領域８ｂ，８ｃに入力映像信号に応じた画像を表示する。そして、駆動装置は、１フレームごとに一部の分割領域を順に切り替え、分割数に応じたフレーム回数を単位として全画面に黒画像またはグレー画像を少なくとも一回表示することを特徴とする。【選択図】図２
2008145909.tif 000002
【特許請求の範囲】
【請求項１】
液晶表示パネルと、
前記液晶表示パネルを駆動する駆動装置とを備え、
前記駆動装置は、
一のフレームにおいて、前記液晶表示パネルの一画面または単位部分画面を水平および／または垂直方向にそれぞれ奇数個に分割してなる複数の分割領域のうち、一部の前記分割領域に黒画像またはグレー画像を表示し、残りの前記分割領域に入力映像信号に応じた画像を表示し、かつ、
１フレームごとに前記一部の分割領域を順に切り替え、分割数に応じたフレーム回数を単位として全画面に黒画像またはグレー画像を少なくとも一回表示することを特徴とする、
液晶表示装置。
【請求項２】
前記単位部分画面は、前記奇数個と同数のラインからなり、
各前記分割領域は、前記奇数個と同数のラインのうちの一のラインである、
請求項１に記載の液晶表示装置。
【請求項３】
前記単位部分画面は、水平方向が前記奇数個と同数のライン、垂直方向が前記奇数個と同数のドットにより区分される領域からなり、
前記分割領域は、前記区分される領域のうちの一のドットである、
請求項１に記載の液晶表示装置。
【請求項４】
前記駆動装置は、
ゲイン調整値に応じて、前記一部の分割領域に黒画像またはグレー画像のいずれか一方を表示する、
請求項１乃至請求項３のいずれかに記載の液晶表示装置。
【請求項５】
黒画像またはグレー画像が表示される前記一部の分割領域は、前記複数の分割領域のうちの二の分割領域であり、
前記駆動装置は、
前記フレーム回数ごとに全画面に黒画像またはグレー画像を二回表示する、
請求項１乃至請求項４のいずれかに記載の液晶表示装置。
【請求項６】
前記複数の分割領域ごとに対応して消灯可能に設けられた複数のバックライトと、
黒画像が表示される前記一部の分割領域に対応する前記バックライトを消灯するバックライト制御部とをさらに備える、
請求項１乃至請求項５のいずれかに記載の液晶表示装置。
【発明の詳細な説明】
【技術分野】
【０００１】
本発明は、液晶表示装置に関し、特に液晶表示装置特有のホールド型駆動を、インパルス型駆動に近づけることにより、動画表示の際の動きボケを低減する液晶表示装置に関するものである。
【背景技術】
【０００２】
液晶表示パネル（ＬＣＤ）は、高精細な表示が得られ、かつ、低消費電力、省スペースといった特徴を有しており、コンピュータモニタやテレビ表示装置といった様々な用途において、陰極線管（ＣＲＴ）からの代替が加速している。しかし、ＬＣＤは、ＣＲＴに比べて動画表示における画質が十分でないことから、動画品質の向上、特に動画ボケの低減が求められている。
【０００３】
この動画ボケを低減させるための従来の技術として、特許文献１、または、特許文献２に記載の液晶表示装置がある。これらの液晶表示装置では、入力映像信号の１フレーム期間において、垂直表示期間が１／Ｎに時間短縮された映像信号に続けて黒画像を挿入して表示する。こうして、インパルス応答に近づけることにより、動きボケを低減する。
【０００４】
一方、従来、一般的に、液晶表示パネルは交流駆動されており、入力映像信号の１フレームごとに、液晶表示パネルを駆動する駆動極性が反転する。特許文献１および特許文献２に記載された液晶表示装置においても同様に、フレームレート変換された後であっても１フレームごとに液晶表示パネルの駆動極性を反転する。そのため、例えば、フレームレートを２倍に変換した場合には、奇数番目のフレーム、または、偶数番目のフレームのいずれか一方のフレームは、常に黒画像となり、他方のフレームは常に入力映像信号に応じた画像（以下、元画像）となる。言い換えれば、黒画像が常にプラス極性（またはマイナス極性）、元画像が常にマイナス極性（またはプラス極性）となり、これが原因で映像を変えても以前表示した映像の一部が残る焼きつきが発生する。
【０００５】
そのため、これらの発明において、焼きつきの発生を抑えるためには、フレームレートを変換する変換倍数Ｎが奇数である必要がある。例えば、入力映像信号のリフレッシュレート（垂直同期周波数）が６０Ｈｚの場合には、３倍の１８０Ｈｚへ変換する必要がある。
【０００６】
【特許文献１】特開２００２−２１５１１１号公報
【特許文献２】特開２００４−２３３９３２号公報
【発明の開示】
【発明が解決しようとする課題】
【０００７】
３倍のリフレッシュレートを実現するためには、制御回路が従来回路の３倍程度の動作速度を有する必要があり、かつ、液晶表示パネルに付随するドライバ回路が従来回路の３倍程度の動作速度を有する必要がある。また、交流駆動の極性を最適化した場合でも、２倍以上の応答速度が必要である。
【０００８】
しかしながら、制御回路およびドライバ回路の動作速度が元々速い高解像度パネルでは、そのような動作速度を実現するのは不可能であるという問題があった。加えて、液晶そのものも、少なくとも従来の３倍の応答が求められるが、液晶は一般的に、中間階調から中間階調への変化に対する応答特性が悪く、階調電圧に応じた液晶の変化が十分でないため、動画ボケや、コントラスト低下等の画質劣化が発生するという問題があった。
【０００９】
本発明は、上記のような問題点を解決するためになされたものであり、フレームレートを変更せずに、動画ボケおよび焼きつきの発生を低減することを目的とする。
【課題を解決するための手段】
【００１０】
本発明の請求項１に係る液晶表示装置は、液晶表示パネルと、前記液晶表示パネルを駆動する駆動装置とを備える。前記駆動装置は、一のフレームにおいて、前記液晶表示パネルの一画面または単位部分画面を水平および／または垂直方向にそれぞれ奇数個に分割してなる複数の分割領域のうち、一部の前記分割領域に黒画像またはグレー画像を表示し、残りの前記分割領域に入力映像信号に応じた画像を表示する。そして、前記駆動装置は、１フレームごとに前記一部の分割領域を順に切り替え、分割数に応じたフレーム回数を単位として全画面に黒画像またはグレー画像を少なくとも一回表示することを特徴とする。
【発明の効果】
【００１１】
本発明の液晶表示装置によれば、フレームレートを変更せずに、動画ボケおよび焼きつきの発生を低減することができる。
【発明を実施するための最良の形態】
【００１２】
＜実施の形態１＞
本実施の形態について説明する前に、液晶表示パネル（ＬＣＤ）の動画表示において動画ボケが発生する原因を図１１を用いて説明する。ＬＣＤは、次のフレームの画像情報に書き換えられるまで元の表示を続けるホールド型駆動である。ＬＣＤとして多く用いられているＴＦＴ（Thin Film Transistor）−ＬＣＤでは、液晶に電界を印加することにより蓄えられた電荷が、次に電界を印加するまで、比較的高い割合で保持される。そのため、ＬＣＤにおける電気信号の印加とそれに応答する光強度を示した図１１（ａ）のように、ＬＣＤの各画素は、次のフレームの画素情報に基づく電界印加により書き換えられるまで、元の表示を維持する。一方、冷陰極管（ＣＲＴ）表示装置では、ＣＲＴにおける電気信号の印加とそれに応答する光強度を示した図１１（ｂ）のように、電子ビームを操作して蛍光体を瞬間的に発光させて表示を行うため、各画素の発光はインパルス状になる。したがって、ＬＣＤはＣＲＴに比べて、画像表示光の時間周波数特性が低く、それに伴い、空間周波数特性も低下するため、動画表示の動きボケが生じる。
【００１３】
動きボケおよび焼きつきの発生を低減するための、本実施の形態に係る液晶表示装置の構成を図１に示す。本実施の形態に係る液晶表示装置は、フレームカウンタ部１と、垂直ラインカウンタ部２と、ゲイン制御部３と、液晶表示パネル４と、バックライト制御部５と、バックライト６とを備える。
【００１４】
液晶表示パネル４は、入力映像信号の１フレームごとに駆動極性が反転する一般的な液晶表示パネルである。本実施の形態では、この入力映像信号は、ゲイン制御部３を介して入力される。この液晶表示パネル４は、ゲイン制御部３からの信号に応じて、画面に画像を表示する。
【００１５】
液晶表示パネル４を駆動する駆動装置は、フレームカウンタ部１と、垂直ラインカウンタ部２と、ゲイン制御部３を備えて構成される。本実施の形態に係る駆動装置は、一のフレームにおいて、液晶表示パネル４の一画面を水平方向に奇数個に分割してなる複数の分割領域のうち、一部の分割領域に黒画像またはグレー画像を表示し、残りの分割領域に入力映像信号に応じた画像を表示する。そして、駆動装置は、１フレームごとに一部の分割領域を順に切り替え、分割数に応じたフレーム回数を単位として全画面に黒画像またはグレー画像を少なくとも一回表示する。
【００１６】
本実施の形態では、液晶表示パネル４の一画面を水平方向に分割する奇数個としては三個であるものとする。つまり、「奇数分割数は三」であるものとする。以下、駆動装置を構成するフレームカウンタ部１と、垂直ラインカウンタ部２と、ゲイン制御部３について以下説明する。
【００１７】
フレームカウンタ部１には、入力映像信号の垂直同期信号が入力される。フレームカウンタ部１は、その垂直同期信号に同期しており、入力映像信号の１フレームごとにカウント値（フレームカウント値）をカウントアップする。そして、フレームカウント値が「奇数分割数の三」を超えた場合に、フレームカウント値はリセットされ、再び値が「１」の状態からカウントアップされる。
【００１８】
垂直ラインカウンタ部２には、入力映像信号の水平同期信号が入力される。垂直ラインカウンタ部２は、その水平同期信号に同期しており、液晶表示パネル４の一画面の１水平ラインごとにカウントアップする。そのカウントアップされたカウント値が、一画面に対する水平ライン総数を「奇数分割数の三」で割った値だけ増すたびに、出力カウント値（水平分割カウント値）をカウントアップする。そして、水平分割カウント値が「奇数分割数の三」を超えた場合に、水平分割カウント値はリセットされ、再び値が「１」の状態からカウントアップされる。
【００１９】
図２は、垂直同期信号と、フレームカウンタ部１におけるフレームカウント値と、液晶表示パネル４における画面と、その画面のうちの「ある画素の駆動極性」が変化する様子を、入力映像信号の１フレームごとに並べて示したタイミングチャートである。７フレーム目は、１フレーム目と同じ状態となり、６フレーム周期で状態を繰り返すため、６フレーム間の変化のみを示している。この図において、垂直同期信号は１フレームごとにローレベルとなる。また、この図の画面では、入力映像信号に応じた画像（以下、元画像）を白の領域、黒画像またはグレー画像を黒の領域で示している。なお、以下、簡単のため、黒の領域には黒画像が表示されているものとし、グレー画像については後述することにする。ゲイン制御部３は、フレームカウント値と、水平分割カウント値に基づいて、液晶表示パネル４の一画面を駆動する。
【００２０】
垂直ラインカウンタ部２でカウントされる水平分割カウント値は、液晶表示パネル４の一画面を分割してなる分割領域８ａ〜８ｃと対応する。具体的に図２を用いて説明すると、水平分割カウント値が「１」の場合には、画面の上側の分割領域８ａが対応する。同様に、水平分割カウント値が「２」の場合には、画面の中央の分割領域８ｂが対応し、水平分割カウント値が「３」の場合には、画面の下側の分割領域８ｃが対応する。つまり、水平分割カウント値によって、液晶表示パネル４の一画面を分割することができる。
【００２１】
ゲイン制御部３は、この水平分割カウント値に基づいて、一のフレームにおいて、液晶表示パネル４の一画面を水平方向に三分割して複数の分割領域８ａ〜８ｃに分ける。そして、三の分割領域８ａ〜８ｃのうち、一部の分割領域である一の分割領域にゲイン係数を変更して黒画像を表示し、残りの分割領域である二の分割領域に元画像を表示する。例えば、図２の１フレーム目では、上側の分割領域８ａが、一の分割領域に該当して黒画像が表示され、中央の分割領域８ｂと、下側の分割領域８ｃが、二の分割領域に該当して元画像が表示されている。
【００２２】
フレームカウンタ部１は、入力映像信号が１フレーム入力されるたびに、フレームカウント値をカウントアップし、フレームが「奇数分割数の三」回入力された場合に、フレームカウント値をリセットする。ゲイン制御部３は、このフレームカウント値に応じて、黒画像が表示される一の分割領域を切り替える。図２では、フレームカウント値が「１」の場合に上側の分割領域８ａに黒画像を表示し、フレームカウント値が「２」の場合に中央の分割領域８ｂに黒画像を表示し、フレームカウント値が「３」の場合に下側の分割領域８ｃに黒画像を表示している。このように、ゲイン制御部３は、フレームカウント値に基づいて、１フレームごとに一の分割領域（黒の領域）を順に切り替え、分割数に応じたフレーム回数（「奇数分割数の三」）を単位として全画面に黒画像を少なくとも一回表示する。
【００２３】
このように構成した場合、図２で、上側の分割領域８ａにおいて黒画像を表示しているフレーム１，４に注目すると、フレーム１の「ある画素の駆動極性」は＋であり、フレーム４の「ある画素の駆動極性」は−である。そうすると、６フレーム周期において、黒画像の極性が＋あるいは−のどちらかに偏ることなく相殺される。また、上側の分割領域８ａにおいて元画像を表示しているフレーム２，３，５，６に注目すると、フレーム３，５の「ある画素の駆動極性」は＋であり、フレーム２，６の「ある画素の駆動極性」は−である。そうすると、６フレーム周期において、元画像の極性が＋あるいは−のどちらかに偏ることなく相殺される。同様に、中央の分割領域８ｂ、下側の分割領域８ｃそれぞれにおいても、黒画像を表示している場合の極性、および、元画像を表示している場合の極性それぞれは、それぞれ偏ることなく相殺される。
【００２４】
以上の構成からなる液晶表示装置では、従来の回路構成を高速化することなく、黒画像を挿入して擬似インパルス応答を実現する。つまり、フレームレートを変更せずに動画ボケの発生を低減することができる。また、従来のように、１フレームごとに＋−＋−…と駆動極性が交互に反転しても、黒画像は常にプラス極性（またはマイナス極性）と偏らず、元画像も常にマイナス極性（またはプラス極性）と偏らないため、焼きつきの発生を低減することができる。
【００２５】
＜グレー画像＞
以上では、図２の画面の黒の領域が黒画像であるとして説明したが、グレー画像であってもよい。ここでは、このグレー画像について説明する。ゲイン制御部３には、外部からゲイン調整値が入力される。このゲイン調整値は、例えば、液晶表示パネル４の特性、入力映像の種類、ユーザの入力によって変更可能な値である。
【００２６】
ゲイン制御部３は、図２の黒の領域における入力映像信号のゲイン係数を、ゲイン調整値に従って、「０」または「１」以下にする。液晶表示パネル４は、図２の黒の領域において、ゲイン係数が「０」の場合に黒画像を表示し、仮にゲイン係数が「１」の場合には元画像を表示する。グレー画像は、映像信号ゲイン係数が「０」と「１」の間の場合の画像であり、黒画像と元画像の間の画像である。このようなゲイン制御部３の動作により、駆動装置は、ゲイン調整値に応じて、一の分割領域（黒の領域）に、黒画像またはグレー画像のいずれか一方を表示する。
【００２７】
以上の構成からなる液晶表示装置では、ゲイン調整値によって、一の分割領域（黒の領域）に、黒画像またはグレー画像を表示することができる。グレー画像を表示した場合、黒画像を表示した場合に比べ、動画ボケの発生を低減する効果は低下するが、輝度は向上する。このように効果に差異がある黒画像表示とグレー画像表示を、ゲイン調整値によって調整することにより、液晶表示パネル４の特性、入力映像の種類、ユーザの好みに応じて自由に画質を変更することができる。
【００２８】
＜複数の黒画像または複数のグレー画像＞
以上では、ゲイン調整値によって、輝度を向上させたが、ここでは、輝度向上よりも動画ボケ低減を優先する液晶表示装置を、図３を用いて説明する。図２と同様、図３の分割領域は、液晶表示パネル４の一画面を水平方向に分割したものである。
【００２９】
図３において、駆動装置は、黒画像またはグレー画像が表示される一部の分割領域は、複数の分割領域のうちの二の分割領域である点で図２と異なる。例えば、図３の１フレーム目において、黒画像またはグレー画像が表示される一部の分割領域は、二の分割領域８ａ，８ｂである。
【００３０】
また、駆動装置は、３フレームを単位として全画面に黒画像またはグレー画像を二回表示する点で図２と異なる。例えば、駆動装置は、分割領域８ａに注目すると、黒画像またはグレー画像を、１〜３フレーム目のうち、１フレーム目と２フレーム目の合計二回表示している。同様に、分割領域８ｂ、８ｃにおいても二回ずつ表示するため、３フレームを単位として全画面に黒画像またはグレー画像を二回表示する。図３を図２と比較すると、図３は、図２よりも黒画像またはグレー画像の挿入率が高くなっている。
【００３１】
このように構成した場合、図３で、上側の分割領域８ａにおいて黒画像を表示しているフレーム１，３，４，６に注目すると、フレーム１，３の「ある画素の駆動極性」は＋であり、フレーム４，６の「ある画素の駆動極性」は−である。そうすると、６フレーム周期において、黒画像の極性が＋あるいは−のどちらかに偏ることなく相殺される。また、上側の分割領域８ａにおいて元画像を表示しているフレーム２，５に注目すると、フレーム５の「ある画素の駆動極性」は＋であり、フレーム２の「ある画素の駆動極性」は−である。そうすると、６フレーム周期において、元画像の極性が＋あるいは−のどちらかに偏ることなく相殺される。同様に、中央の分割領域８ｂ、下側の分割領域８ｃそれぞれにおいても、黒画像を表示している場合の極性、および、元画像を表示している場合の極性は、偏ることなく相殺される。
【００３２】
以上の構成からなる液晶表示装置では、図２の場合と同様に、フレームレートを変更せずに、動画ボケおよび焼きつきの発生を低減することができる。また、黒画像またはグレー画像の挿入率を高くした場合、挿入率が低い図２に比べ、輝度は低下するが、動画ボケの発生を低減する効果は向上する。このように効果に差異がある状態を、ゲイン調整値によって調整することにより、液晶表示パネル４の特性、入力映像の種類、ユーザの好みに応じて自由に画質を変更することができる。
【００３３】
＜バックライト＞
次に、バックライト制御部５と、バックライト６について説明する。バックライト６は複数設けられており、液晶表示パネル４の複数の分割領域ごとに対応して消灯可能に設けられる。このバックライト６からの光は、液晶表示パネル４の光源として用いられる。バックライト制御部５は、黒画像が表示される一部の分割領域に対応するバックライト６を消灯する。
【００３４】
図４のタイミングチャートは、図２に示した画面に対応させてバックライト６を制御している様子を示したものである。図４のように、バックライト制御部５は、黒画像が表示される一の分割領域に対応するバックライト６を消灯する。
【００３５】
以上の構成からなる液晶表示装置では、液晶表示パネル４での応答が間に合わずに、１フレーム内に黒画像の切り替えができなくて、動画ボケの低減効果が低くなる場合であっても、バックライト６を消灯することにより、黒画像の表示を補償することができる。さらに、バックライト６を常時点灯させないため、消費電力低減の効果も得ることができる。ここで、ゲイン調整値によってグレー画像に切り替える場合には、上述したバックライト６を消滅するとグレー画像が表示されなくなるため、常時点灯制御するようにする必要がある。
【００３６】
なお、本実施の形態では、入力のリフレッシュレート変換を行わない構成としているが、液晶表示パネル４、および、周辺回路が対応できる範囲において、２倍、３倍、・・・へと変換を行ってもよい。その場合、リフレッシュレート変換を行わない場合と比較してちらつきが低減される。
【００３７】
また、本実施の形態では、フレームカウンタ部１、および、垂直ラインカウンタ部２を用いて、分割領域における入力映像信号のゲイン係数を制御する構成としている。しかしこれに限ったものではなく、一画面における分割領域に黒画像が施された画像を必要枚数記憶しておき、入力映像信号とアルファブレンディングすることによっても、本実施の形態と同様の動作および効果を実現することができる。
【００３８】
また、本実施の形態では、分割領域が、液晶表示パネル４の一画面を水平方向に分割してなるものであるとして説明した。しかし、これに限ったものではなく、分割領域が、液晶表示パネル４の一画面を垂直方向に分割してなるものであるとしても、上記と同様の効果を得ることができる。また、分割領域が、液晶表示パネル４の一画面を水平および垂直方向に分割してなるものであるとしても、上記と同様の効果を得ることができる。
【００３９】
＜実施の形態２＞
本実施の形態に係る液晶表示パネルを図５〜図７を用いて説明する。なお、以下、実施の形態１と同一の構成については同一符号を付すものとする。本実施の形態に係る液晶表示装置の構成を図５に示す。本実施の形態に係る液晶表示装置は、フレームカウンタ部１と、垂直ラインカウンタ部２と、ゲイン制御部３と、液晶表示パネル４とを備える。
【００４０】
液晶表示パネル４を駆動する駆動装置は、フレームカウンタ部１と、垂直ラインカウンタ部２と、ゲイン制御部３を備えて構成される。本実施の形態に係る駆動装置は、一のフレームにおいて、液晶表示パネル４の単位部分画面（後述する）を水平方向に奇数個に分割してなる複数の分割領域のうち、一部の分割領域に黒画像またはグレー画像を表示し、残りの分割領域に元画像を表示する。そして、駆動装置は、１フレームごとに一部の分割領域を順に切り替え、分割数に応じたフレーム回数を単位として全画面に黒画像またはグレー画像を少なくとも一回表示する。
【００４１】
単位部分画面は、液晶表示パネル４の一画面を水平および／または垂直方向に区分してなるものであり、詳細は後述する。本実施の形態では、液晶表示パネル４の単位部分画面の各々を水平方向に分割する奇数個は三個であるものとする。つまり、「奇数分割数は三」であるものとする。以下、駆動装置を構成するフレームカウンタ部１と、垂直ラインカウンタ部２と、ゲイン制御部３について説明する。
【００４２】
フレームカウンタ部１には、入力映像信号の垂直同期信号が入力される。フレームカウンタ部１は、その垂直同期信号に同期しており、入力映像信号の１フレームごとにカウント値（フレームカウント値）をカウントアップする。そして、フレームカウント値が「奇数分割数の三」を超えた場合に、フレームカウント値はリセットされ、再び値が「１」の状態からカウントアップされる。
【００４３】
垂直ラインカウンタ部２には、入力映像信号の水平同期信号が入力される。垂直ラインカウンタ部２は、その水平同期信号に同期しており、液晶表示パネル４の一画面の１水平ラインごとにカウントアップする。そのカウントアップされたカウント値が、単位部分画面に対する水平ライン総数を「奇数分割数の三」で割った値だけ増すたびに、出力カウント値（水平分割カウント値）をカウントアップする。そして、水平分割カウント値が「奇数分割数の三」を超えた場合に、水平分割カウント値はリセットされ、再び値が「１」の状態からカウントアップされる。
【００４４】
図６は、実施の形態１の図２に対応する図である。図２と同様、黒の領域には黒画像が表示されているものとする。この図では、拡大した単位部分画面９がさらに示されている。ゲイン制御部３は、フレームカウント値と、水平分割カウント値に基づいて、液晶表示パネル４の単位部分画面９を駆動する。
【００４５】
単位部分画面９は、液晶表示パネル４の一画面を水平および／または垂直方向に区分してなるものである。本実施の形態では、単位部分画面９は、液晶表示パネル４の一画面を水平方向に区分してなるものとしている。この単位部分画面９自体は、図６のように、水平方向に区分されており、「奇数分割数の三」と同数の三のラインからなる。各分割領域１０ａ〜１０ｃは、単位部分画面９の「奇数分割数の三」と同数の三のラインのうちの一のラインである。
【００４６】
垂直ラインカウンタ部２でカウントされる水平分割カウント値は、液晶表示パネル４の単位部分画面９を分割してなる分割領域１０ａ〜１０ｃと対応する。具体的に図６を用いて説明すると、水平分割カウント値が「１」の場合には、単位部分画面９の上側の分割領域１０ａが対応する。同様に、水平分割カウント値が「２」の場合には、単位部分画面９の中央の分割領域１０ｂが対応し、水平分割カウント値が「３」の場合には、単位部分画面９の下側の分割領域１０ｃが対応する。つまり、水平分割カウント値によって、単位部分画面９各々を水平方向に分割することができる。
【００４７】
ゲイン制御部３は、この水平分割カウント値に基づいて、一のフレームにおいて、液晶表示パネル４の単位部分画面９を水平方向に三分割して複数の分割領域１０ａ〜１０ｃに分ける。そして、三の分割領域１０ａ〜１０ｃのうち、一部の分割領域である一の分割領域にゲイン係数を変更して黒画像を表示し、残りの分割領域である二の分割領域に元画像を表示する。例えば、図６の１フレーム目では、上側の分割領域１０ａが、一の分割領域に該当して黒画像が表示され、中央の分割領域１０ｂと、下側の分割領域１０ｃが、二の分割領域に該当して元画像が表示されている。なお、単位部分画面９自体は、「奇数分割数の三」のラインによって分割されるが、液晶表示パネル４の一画面は、奇数個の単位部分画面９または偶数個の単位部分画面９のいずれによって区分してもよい。
【００４８】
フレームカウンタ部１は、入力映像信号が１フレーム入力されるたびに、フレームカウント値をカウントアップし、フレームが「奇数分割数の三」回入力された場合に、フレームカウント値をリセットする。ゲイン制御部３は、このフレームカウント値に応じて、黒画像が表示される一の分割領域を切り替える。図６では、フレームカウント値が「１」の場合に上側の分割領域１０ａに黒画像を表示し、フレームカウント値が「２」の場合に中央の分割領域１０ｂに黒画像を表示し、フレームカウント値が「３」の場合に下側の分割領域１０ｃに黒画像を表示している。このように、ゲイン制御部３は、フレームカウント値に基づいて、１フレームごとに一の分割領域（黒の領域）を順に切り替え、分割数に応じたフレーム回数（「奇数分割数の三」）を単位として全画面に黒画像を少なくとも一回表示する。
【００４９】
このように構成した場合、図６で、上側の分割領域１０ａにおいて黒画像を表示しているフレーム１，４に注目すると、フレーム１の「ある画素の駆動極性」は＋であり、フレーム４の「ある画素の駆動極性」は−である。そうすると、６フレーム周期において、黒画像の極性が＋あるいは−のどちらかに偏ることなく相殺される。また、上側の分割領域１０ａにおいて元画像を表示しているフレーム２，３，５，６に注目すると、フレーム３，５の「ある画素の駆動極性」は＋であり、フレーム２，６の「ある画素の駆動極性」は−である。そうすると、６フレーム周期において、元画像の極性が＋あるいは−のどちらかに偏ることなく相殺される。同様に、中央の分割領域１０ｂ、下側の分割領域１０ｃそれぞれにおいても、黒画像を表示している場合の極性、および、元画像を表示している場合の極性それぞれは、偏ることなく相殺される。
【００５０】
以上の構成からなる液晶表示装置では、実施の形態１と同様、フレームレートを変更せずに、動画ボケおよび焼きつきの発生を低減することができる。さらに、本実施の形態に係る液晶表示装置は、実施の形態１に係る液晶表示装置よりも黒画像を挿入する領域を分散して、黒画像の挿入を目立たなくすることができるため、ちらつきを低減することができる。
【００５１】
＜グレー画像＞
ゲイン制御部３は、図６の黒の領域における入力映像信号のゲイン係数を、ゲイン調整値に従って、「０」または「１」以下にする。このようなゲイン制御部３の動作により、駆動装置は、ゲイン調整値に応じて、一の分割領域（黒の領域）に、黒画像またはグレー画像のいずれか一方を表示する。
【００５２】
以上の構成からなる液晶表示装置では、ゲイン調整値によって、一の分割領域（黒の領域）に、黒画像またはグレー画像を表示することができる。グレー画像を表示した場合、黒画像を表示した場合に比べ、動画ボケの発生を低減する効果は低下するが、輝度は向上する。このように効果に差異がある黒画像表示とグレー画像表示を、ゲイン調整値によって調整することにより、液晶表示パネル４の特性、入力映像の種類、ユーザの好みに応じて自由に画質を変更することができる。
【００５３】
＜複数の黒画像または複数のグレー画像＞
以上では、ゲイン調整値によって、輝度を向上させたが、ここでは、輝度向上よりも動画ボケ低減を優先する液晶表示装置を、図７を用いて説明する。
【００５４】
図６と同様、分割領域は、液晶表示パネル４の単位部分画面９を水平方向に分割したものである。図７は、黒画像またはグレー画像が表示される一部の分割領域は、複数の分割領域のうちの二の分割領域である点で図６と異なる。そして、駆動装置は、３フレームを単位として全画面に黒画像またはグレー画像を二回表示する点で図６と異なる。図７を図６と比較すると、図７は図６よりも黒画像またはグレー画像の挿入率が高くなっている。
【００５５】
以上の構成からなる液晶表示装置では、図６の場合と同様に、フレームレートを変更せずに、動画ボケおよび焼きつきの発生を低減することができる。また、黒画像またはグレー画像の挿入率を高くした場合、挿入率が低い図６に比べ、輝度は低下するが、動画ボケの発生を低減する効果は向上する。このように効果に差異がある状態を、ゲイン調整値によって調整することにより、液晶表示パネル４の特性、入力映像の種類、ユーザの好みに応じて自由に画質を変更することができる。
【００５６】
なお、以上に述べた実施の形態では、入力リフレッシュレート変換を行わない構成としているが、リフレッシュレート変換を行った場合には、ちらつきが低減される。また、アルファブレンディングすることによっても、本実施の形態と同様の動作および効果を実現することができる。
【００５７】
また、本実施の形態では、単位部分画面９は、液晶表示パネル４の一画面を水平方向に区分してなるものとして説明したが、これに限ったものではなく、液晶表示パネル４の一画面を垂直方向に区分してなるものとしてもよい。
【００５８】
また、本実施の形態では、分割領域が、液晶表示パネル４の一画面を水平方向に区分してなる単位部分画面９を、さらに、水平方向に分割してなるラインであるとして説明した。しかし、これに限ったものではなく、分割領域が、液晶表示パネル４の一画面を垂直方向に区分してなる単位部分画面９を、さらに、垂直方向に分割してなるラインであるとしても、上記と同様の効果を得ることができる。
【００５９】
また、一の単位部分画面における一部の分割領域（黒の領域）の面積は、各単位部分画面において均等となっていることが好ましい。
【００６０】
＜実施の形態３＞
本実施の形態に係る液晶表示パネルを図８〜図１０を用いて説明する。なお、以下、実施の形態１と同一の構成については同一符号を付すものとする。本実施の形態に係る液晶表示装置の構成を図８に示す。本実施の形態に係る液晶表示装置は、フレームカウンタ部１と、垂直ラインカウンタ部２と、ゲイン制御部３と、液晶表示パネル４に加え、ドットカウンタ部７をさらに備える。
【００６１】
液晶表示パネル４を駆動する駆動装置は、フレームカウンタ部１と、垂直ラインカウンタ部２と、ゲイン制御部３と、ドットカウンタ部７を備えて構成される。本実施の形態に係る駆動装置は、一のフレームにおいて、液晶表示パネル４の単位部分画面（後述する）を水平および垂直方向に奇数個に分割してなる複数の分割領域のうち、一部の分割領域に黒画像またはグレー画像を表示し、残りの分割領域に元画像を表示する。そして、駆動装置は、１フレームごとに一部の分割領域を順に切り替え、分割数に応じたフレーム回数を単位として全画面に黒画像またはグレー画像を少なくとも一回表示する。
【００６２】
単位部分画面は、液晶表示パネル４の一画面を水平および／または垂直方向に区分してなるものであり、詳細は後述する。本実施の形態では、液晶表示パネル４の単位部分画面の各々を水平および垂直方向それぞれに分割する奇数個は三個であるものとする。つまり、「奇数分割数は三」であるものとする。以下、駆動装置を構成するフレームカウンタ部１と、垂直ラインカウンタ部２と、ゲイン制御部３と、ドットカウンタ部７について説明する。
【００６３】
フレームカウンタ部１には、入力映像信号の垂直同期信号が入力される。フレームカウンタ部１は、その垂直同期信号に同期しており、入力映像信号の１フレームごとにカウント値（フレームカウント値）をカウントアップする。そして、フレームカウント値が「奇数分割数の三」を超えた場合に、フレームカウント値はリセットされ、再び値が「１」の状態からカウントアップされる。
【００６４】
垂直ラインカウンタ部２には、入力映像信号の水平同期信号が入力される。垂直ラインカウンタ部２は、その水平同期信号に同期しており、液晶表示パネル４の一画面の１水平ラインごとにカウントアップする。そのカウントアップされたカウント値が、単位部分画面に対する水平ライン総数を「奇数分割数の三」で割った値だけ増すたびに、出力カウント値（水平分割カウント値）をカウントアップする。そして、水平分割カウント値が「奇数分割数の三」を超えた場合に、水平分割カウント値はリセットされ、再び値が「１」の状態からカウントアップされる。
【００６５】
ドットカウンタ部７には、水平同期信号が入力される。ドットカウンタ部は、水平同期信号に同期して得られるドットクロックごとにカウント値（垂直分割カウント値）をカウントアップする。そして、垂直分割カウント値が「奇数分割数の三」を超えた場合に、垂直分割カウント値はリセットされ、再び値が「１」の状態からカウントアップされる。
【００６６】
図９は、実施の形態１の図２に対応する図である。ここでは、３フレームしか表示していないが、４フレーム目からは１フレーム目において「ある画素の駆動極性」が反転したものと同じ状態となり、図２と同様、６フレーム周期で状態を繰り返す。また、黒の領域には黒画像が表示されているものとする。この図では、拡大した単位部分画面１１がさらに示されている。ゲイン制御部３は、フレームカウント値と、水平分割カウント値と、垂直分割カウント値に基づいて、液晶表示パネル４の単位部分画面１１を駆動する。
【００６７】
単位部分画面１１は、液晶表示パネル４の一画面を水平および／または垂直方向に区分してなるものである。本実施の形態では、単位部分画面１１は、液晶表示パネル４の一画面を水平および垂直方向に区分してなるものとしている。この単位部分画面１１自体は、図９のように、水平方向が「奇数分割数の三」と同数の三のライン、垂直方向が「奇数分割数の三」と同数の三のドットにより区分される領域からなる。分割領域１２ａ〜１２ｃは、区分される領域のうちの一のドットである。
【００６８】
ゲイン制御部３は、垂直ラインカウンタ部２でカウントされる水平分割カウント値によって、液晶表示パネル４の単位部分画面１１各々を、水平方向に分割し、「奇数分割数の三」のラインに分割する。一方、ゲイン制御部３は、ドットカウンタ部７でカウントされる垂直分割カウント値によって、液晶表示パネル４の単位部分画面１１を各々を、垂直方向に分割し、「奇数分割数の三」のドットに分割する。こうして、ゲイン制御部３は、水平分割カウント値および垂直分割カウント値に基づいて、一のフレームにおいて、液晶表示パネル４の単位部分画面１１を、水平および垂直方向に三分割して複数の分割領域に分ける。そして、三×三の分割領域のうち、一部の分割領域にゲイン係数を変更して黒画像を表示し、残りの分割領域に元画像を表示する。以下、そのうち、三の分割領域１２ａ〜１２ｃに注目して説明する。
【００６９】
ゲイン制御部３は、三の分割領域１２ａ〜１２ｃのうち、一部の分割領域である一の分割領域にゲイン係数を変更して黒画像を表示し、残りの分割領域である二の分割領域に元画像を表示する。例えば、図９の１フレーム目では、右側の分割領域１２ｃが、一の分割領域に該当して黒画像が表示され、左側の分割領域１２ａと、中央の分割領域１２ｂが、二の分割領域に該当して元画像が表示されている。なお、単位部分画面１１自体は、「奇数分割数の三」のラインと「奇数分割数の三」のドットによって分割されるが、液晶表示パネル４の一画面は、奇数個の単位部分画面１１または偶数個の単位部分画面１１のいずれによって区分してもよい。
【００７０】
フレームカウンタ部１は、入力映像信号が１フレーム入力されるたびに、フレームカウント値をカウントアップし、フレームが「奇数分割数の三」回入力された場合に、フレームカウント値をリセットする。ゲイン制御部３は、このフレームカウント値に応じて、黒画像が表示される一の分割領域を切り替える。図６では、フレームカウント値が「１」の場合に右側の分割領域１２ｃに黒画像を表示し、フレームカウント値が「２」の場合に左側の分割領域１２ａに黒画像を表示し、フレームカウント値が「３」の場合に中央の分割領域１２ｂに黒画像を表示している。このように、ゲイン制御部３は、フレームカウント値に基づいて、１フレームごとに一の分割領域（黒の領域）を順に切り替え、分割数に応じたフレーム回数（「奇数分割数の三」）を単位として全画面に黒画像を少なくとも一回表示する。
【００７１】
このように構成した場合、図９で、右側の分割領域１２ｃにおいて黒画像を表示するのは、フレーム１と、図示しないフレーム４である。そして、フレーム１の「ある画素の駆動極性」は＋であり、フレーム４の「ある画素の駆動極性」は−である。そうすると、６フレーム周期において、黒画像の極性が＋あるいは−のどちらかに偏ることなく相殺される。また、右側の分割領域１２ｃにおいて元画像を表示するのは、フレーム２，３と、図示しないフレーム５，６である。そして、フレーム３，５の「ある画素の駆動極性」は＋であり、フレーム２，６の「ある画素の駆動極性」は−である。そうすると、６フレーム周期において、元画像の極性が＋あるいは−のどちらかに偏ることなく相殺される。同様に、左側の分割領域１２ａ、中央の分割領域１２ｂそれぞれにおいても、黒画像を表示している場合の極性、および、元画像を表示している場合の極性それぞれは、偏ることなく相殺される。同様に、単位部分画面１１のうちの残りの分割領域についても、同様に相殺される。
【００７２】
以上の構成からなる液晶表示装置では、実施の形態１と同様、フレームレートを変更せずに、動画ボケおよび焼きつきの発生を低減することができる。さらに、本実施の形態に係る液晶表示装置は、実施の形態２に係る液晶表示装置よりも黒画像を挿入する領域を分散して、黒画像の挿入を目立たなくすることができるため、ちらつきをさらに低減することができる。
【００７３】
＜グレー画像＞
ゲイン制御部３は、図９の黒の領域における入力映像信号のゲイン係数を、ゲイン調整値に従って、「０」または「１」以下にする。このようなゲイン制御部３の動作により、駆動装置は、ゲイン調整値に応じて、一の分割領域（黒の領域）に、黒画像またはグレー画像のいずれか一方を表示する。
【００７４】
以上の構成からなる液晶表示装置では、ゲイン調整値によって、一の分割領域（黒の領域）に、黒画像またはグレー画像を表示することができる。グレー画像を表示した場合、黒画像を表示した場合に比べ、動画ボケの発生を低減する効果は低下するが、輝度は向上する。このように効果に差異がある黒画像表示とグレー画像表示を、ゲイン調整値によって調整することにより、液晶表示パネル４の特性、入力映像の種類、ユーザの好みに応じて自由に画質を変更することができる。
【００７５】
＜複数の黒画像または複数のグレー画像＞
以上では、ゲイン調整値によって、輝度を向上させたが、ここでは、輝度向上よりも動画ボケ低減を優先する液晶表示装置を、図１０を用いて説明する。
【００７６】
図９と同様、分割領域は、液晶表示パネル４の単位部分画面９を水平方向に分割したものである。図１０は、黒画像またはグレー画像が表示される一部の分割領域は、複数の分割領域のうちの二の分割領域である点で図９と異なる。そして、駆動装置は、３フレームを単位として全画面に黒画像またはグレー画像を二回表示する点で図９と異なる。図１０を図９と比較すると、図１０は図９よりも黒画像またはグレー画像の挿入率が高くなっている。
【００７７】
以上の構成からなる液晶表示装置では、図９の場合と同様に、フレームレートを変更せずに、動画ボケおよび焼きつきの発生を低減することができる。また、黒画像またはグレー画像の挿入率を高くした場合、挿入率が低い図９に比べ、輝度は低下するが、動画ボケの発生を低減する効果は向上する。このように効果に差異がある状態を、ゲイン調整値によって調整することにより、液晶表示パネル４の特性、入力映像の種類、ユーザの好みに応じて自由に画質を変更することができる。
【００７８】
なお、以上に述べた実施の形態では、入力リフレッシュレート変換を行わない構成としているが、リフレッシュレート変換を行った場合には、ちらつきが低減される。また、アルファブレンディングすることによっても、本実施の形態と同様の動作および効果を実現することができる。
【００７９】
また、本実施の形態では、分割領域が、液晶表示パネル４の一画面を水平および垂直方向に区分してなる単位部分画面１１を、さらに、水平および垂直方向に分割してなるものとして説明した。しかし、これに限ったものではなく、分割領域が、液晶表示パネル４の一画面を水平および垂直方向に区分してなる単位部分画面１１を垂直方向にのみ分割してなるものであるとしても、上記と同様の効果を得ることができる。また、分割領域が、液晶表示パネル４の一画面を水平および垂直方向に区分してなる単位部分画面１１を水平方向にのみ分割してなるものであるとしても、上記と同様の効果を得ることができる。
【００８０】
また、一の単位部分画面における一部の分割領域（黒の領域）の面積は、各単位部分画面において均等となっていることが好ましい。
【図面の簡単な説明】
【００８１】
【図１】実施の形態１に係る液晶表示装置を示すブロック図である。
【図２】実施の形態１に係る液晶表示装置の動作を示すタイミングチャートである。
【図３】実施の形態１に係る液晶表示装置の動作を示すタイミングチャートである。
【図４】実施の形態１に係る液晶表示装置の動作を示すタイミングチャートである。
【図５】実施の形態２に係る液晶表示装置を示すブロック図である。
【図６】実施の形態２に係る液晶表示装置の動作を示すタイミングチャートである。
【図７】実施の形態２に係る液晶表示装置の動作を示すタイミングチャートである。
【図８】実施の形態３に係る液晶表示装置を示すブロック図である。
【図９】実施の形態３に係る液晶表示装置の動作を示すタイミングチャートである。
【図１０】実施の形態３に係る液晶表示装置の動作を示すタイミングチャートである。
【図１１】ＬＣＤとＣＲＴとの発光状態の差異を示す図である。
【符号の説明】
【００８２】
１  フレームカウンタ部、２  垂直ラインカウンタ部、３  ゲイン制御部、４  液晶表示パネル、５  バックライト制御部、６  バックライト、７  ドットカウンタ部、８ａ〜８ｃ，１０ａ〜１０ｃ，１２ａ〜１２ｃ  分割領域、９，１１  単位部分画面。
【図１】
2008145909.tif 000003
【図２】
2008145909.tif 000004
【図３】
2008145909.tif 000005
【図４】
2008145909.tif 000006
【図５】
2008145909.tif 000007
【図６】
2008145909.tif 000008
【図７】
2008145909.tif 000009
【図８】
2008145909.tif 000010
【図９】
2008145909.tif 000011
【図１０】
2008145909.tif 000012
【図１１】
2008145909.tif 000013